(57)【特許請求の範囲】
【請求項１】
減湿装置によって外気を減湿した後に、目的空間からの還気と顕熱交換器で熱交換することによって冷却し、その後当該冷却した空気を加湿して前記目的空間に供給するデシカント方式の空調方法において、
前記目的空間からの還気を加湿することなく、減湿後の外気と前記顕熱交換器で熱交換を行い、
当該熱交換後の還気を、全熱交換器によって減湿前の外気と熱交換し、さらに全熱交換器を出た後の還気と、前記減湿装置によって減湿した後の外気とを、他の顕熱交換器で熱交換すると共に、当該他の顕熱交換器から出た外気を前記顕熱交換器に導入することを特徴とする、デシカント空調方法。
【請求項２】
他の顕熱交換器を通過した後の還気を減湿装置の再生に用いることを特徴とする、請求項１に記載のデシカント空調方法。
【請求項３】
他の顕熱交換器を通過した後の還気を分割して、一部をそのまま減湿装置のプレ再生に用い、残りの一部を加熱装置によって加熱した後に、減湿装置の再生に用いることを特徴とする、請求項２に記載のデシカント空調方法。
【請求項４】
減湿装置によって処理空気を減湿した後に、目的空間からの還気と顕熱交換器で熱交換することによって冷却し、その後当該冷却した空気を加湿して前記目的空間に供給するデシカント方式の空調方法において、
前記目的空間からの還気を加湿することなく減湿後の処理空気と前記顕熱交換器で熱交換を行い、
当該熱交換後の還気を減湿装置に導入する前記処理空気として用い、
前記減湿装置によって減湿された後の空気を、他の顕熱交換器で外気と熱交換した後前記顕熱交換器に送ると共に、他の顕熱交換器で熱交換した後の外気は、前記減湿装置の再生に用い、
他の顕熱交換器を通過した後の外気を分割して、一部をそのまま減湿装置のプレ再生に用い、残りの一部を加熱装置によって加熱した後に、減湿装置の再生に用いることを特徴とする、デシカント空調方法。
【発明の詳細な説明】
【０００１】
【発明の属する技術分野】
本発明は、消費エネルギを従来より低減させたデシカント空調方法に関するものである。
【０００２】
【従来の技術】
京都での国際地球環境会議ＣＯＰ３において、特定フロンのみでなく代替フロンについても削減目標として掲げられた。したがってフロンを使用しない空調システムの開発が急務となっている。フロンレスの空調システムとしては従来から種々の方法が提案されているが、その中で、乾燥剤によって空気を減湿し、熱交換器で冷却した後、加湿して低温の空気を得るデシカント空調方式がある。この方式は、１９６８年に考案され、その特許が満了した頃から効率を上げるための方法がいくつか提案されている。例えば特開平５−１１５７３７「脱臭除湿機能を有する吸着体を使用した脱臭除湿冷房方法」、特開平９−１７８２８９「デシカント空調装置」、特開平９−１７８２９０「デシカント空調装置」、特開平９−１７８２９１「デシカント空調装置」において開示されている。
【０００３】
これら従来のデシカント空調方式の代表的なシステム構成を図１０に基づいて説明する。この図１０に示したシステムは、全外気方式でシステムが構築されており、給気ファン１０１によって取り入れられた外気ＯＡは、減湿ロータ１０２によって減湿され、その後顕熱交換器１０３によって還気ＲＡと熱交換された後、加湿器１０４に導入されるようになっている。そして加湿器１０４において蒸発冷却した後、給気ＳＡとして室Ｒへと供給される。
【０００４】
室Ｒからの還気ＲＡは、加湿器１０５において蒸発冷却されて温度が下げられた後、顕熱交換器１０３で熱交換され、その後再生ヒータによって昇温された後、再生空気として減湿ロータ１０２へと導入され、排気ファン１０７によって排気ＥＡとして外部へと排気されるようになっている。
【０００５】
【発明が解決しようとする課題】
前記従来のシステムの空気の状態図を、図１１、図１２に示した。このシステムでは、外気条件によって能力も効率も変化するため、２つの外気条件について調べた。図１１は、外気条件が温度３２℃、湿度６５％の場合であり、図１２は外気条件が  温度３２℃、湿度４１％の場合である。図１１、図１２におけるイ〜リの符号は、各々図１０に示したシステムにおける同じ符号の箇所における空気の状態を示している。
【０００６】
この結果から、次のことが分かる。外気湿度が高い場合能力が低下する。外気が３２℃、６５％の場合、室内条件より１．５ｋｃａｌ／ｋｇ'程度冷却されているだけで、冷房用としては明らかに能力不足である（図１１のニ）。したがって、湿度の高い日本の夏には適用できない。これに対処するために、システム構成に有利な（送風機、減湿機、顕熱交換器などが小型化できる）全熱交換器によって外気湿度を低下させようとしても、低湿度の室内排気空気は、減湿後の高温の空気を冷却するために既に使ってしまっているため、そのままでは全熱交換器は使えない。外気湿度が低下した場合には、冷房に必要な能力は得られるが（図１２のニ）、吸収冷凍機等と比較して明らかに効率が低い。また減湿ロータ１０２の再生出口相対湿度は、本来なら、すなわち最適な値であれば、処理入口相対湿度と同じになるはずであるが、前記従来のシステムではその値より遥かに低い湿度となっている（図１１、図１２のリ）。これは減湿ロータ１０２へ導入する再生風量が多すぎるためである。したがって、この点からもエネルギの浪費が認められる。
【０００７】
本発明はかかる点に鑑みてなされたものであり、システム系統を考えて全熱交換器を使用できるようにし、また過剰な再生風量を低減してシステム上の無駄をなくし、能力、効率の改善を図った新規なデシカント空調方法を提供することをその目的としている。
【０００８】
【課題を解決するための手段】
前記目的を達成するため、請求項１によれば、減湿装置によって外気を減湿した後に、目的空間からの還気と顕熱交換器で熱交換することによって冷却し、その後当該冷却した空気を加湿して前記目的空間に供給するデシカント方式の空調方法において、前記目的空間からの還気を加湿することなく、減湿後の外気と前記顕熱交換器で熱交換を行い、当該熱交換後の還気を、全熱交換器によって減湿前の外気と熱交換し、さらに全熱交換器を出た後の還気と、前記減湿装置によって減湿した後の外気とを、他の顕熱交換器で熱交換すると共に、当該他の顕熱交換器から出た外気を前記顕熱交換器に導入することを特徴とする、デシカント空調方法が提供される。
【０００９】
このように、請求項１のデシカント空調方法では、従来のように還気を加湿して蒸発冷却によって給気となる空気の温度を下げるのではなく、別途設けた他の顕熱交換器を用いて給気となる外気の温度を下げているので、還気を全熱交換器で熱回収するための低湿度の空気として利用することが可能になっている。しかもそのように全熱交換器を使用しているため、減湿装置に入る空気の湿度はかなり低下でき、外気の湿度が高い場合にも、十分な冷房能力が期待できる。なお全熱交換器は、回転型、静止型のいずれのタイプも使用できる。また顕熱交換器としては、例えば隔壁型を用いることができる。
【００１０】
かかるデシカント空調方法において、請求項２のように、他の顕熱交換器を通過した後の還気を減湿装置の再生に用いるようにしてもよい。この場合、さらに請求項３のように、他の顕熱交換器を通過した後の還気を分割して、一部をそのまま減湿装置のプレ再生に用い、残りの一部を加熱装置によって加熱した後に、減湿装置の再生に用いるようにすれば、さらに好ましい効果が得られる。
【００１１】
すなわち、既述したように、元々従来のシステムでは再生風量が過剰であり、そのため結果的にエネルギのロスを招いていたが、単に過剰分を排出して適正風量にするのでは、依然としてエネルギのロスは改善できない。その点、請求項３のように、他の顕熱交換器を通過した後の還気を分割して、一部をそのまま減湿装置のプレ再生に用い、残りの一部を加熱装置によって加熱した後に、減湿装置の再生に用いるようにすれば、再生熱量を必要最小限にまで低減することができ、エネルギロスを防止して、効率のよい運転が行える。
【００１２】
請求項４によれば、減湿装置によって処理空気を減湿した後に、目的空間からの還気と顕熱交換器で熱交換することによって冷却し、その後当該冷却した空気を加湿して前記目的空間に供給するデシカント方式の空調方法において、前記目的空間からの還気を加湿することなく前記顕熱交換器で減湿後の処理空気と熱交換を行い、当該熱交換後の還気を減湿装置に導入する前記処理空気として用い、前記減湿装置によって減湿された後の空気を、他の顕熱交換器で外気と熱交換した後前記顕熱交換器に送ると共に、他の顕熱交換器で熱交換した後の外気を、前記減湿装置の再生に用いるようにし、さらに他の顕熱交換器を通過した後の外気を分割して、一部をそのまま減湿装置のプレ再生に用い、残りの一部を加熱装置によって加熱した後に、減湿装置の再生に用いること特徴とする、デシカント空調方法が提供される。
【００１３】
この請求項４のデシカント空調方法の場合にも、従来のように還気を加湿して蒸発冷却によって給気となる空気の温度を下げるのではなく、別途設けた他の顕熱交換器を用いて給気となる空気の温度を下げており、外気の条件に能力が大きく左右されることなく高い能力を維持でき、しかも還気を循環させて給気として用いているので、効率がよい。
【００１４】
このようないわば全還気方式においても、他の顕熱交換器を通過した後の外気を分割して、一部をそのまま減湿装置のプレ再生に用い、残りの一部を加熱装置によって加熱した後に、減湿装置の再生に用いるようにしたことで、再生熱量を必要最小限にまで低減することができる。
【００１５】
【発明の実施の形態】
以下、図面に基づいて本発明の好ましい実施の形態にかかるデシカント空調方法を説明する。図１は、第１の実施の形態にかかるデシカント空調方法実施するためのデシカント空調システムの系統を示しており、本実施の形態は、いわゆる全外気方式のシステムとして構成されている。
【００１６】
外気取り入れ口１から導入された外気ＯＡは、まず全熱交換器２によって還気ＲＡと熱交換されてエンタルピーが低減された後、給気ファン３によって減湿装置としての減湿ロータ４の処理区域（減湿区域）４ａへと送られ、減湿処理に付される。そして減湿された空気は、第１の顕熱交換器５において、前記全熱交換器２を通過した還気ＲＡと熱交換され、さらにその後、第２の顕熱交換器６によって、室Ｒを出た直後の還気ＲＡと熱交換されて冷却されるようになっている。第２の顕熱交換器６によって冷却された空気は、加湿器７によって蒸発冷却に付された後、室Ｒへと給気ＳＡとして供給される。
【００１７】
室Ｒからの還気ＲＡは、まず前記第２の顕熱交換器６に導入され、給気ＳＡとなる乾燥した空気と熱交換された後、全熱交換器２に導入されて外気ＯＡと熱交換され、還気ファン８によって、第１の顕熱交換器５に送られ、給気ＳＡとなる乾燥した空気と熱交換されるようになっている。
【００１８】
第１の顕熱交換器５において給気ＳＡとなる乾燥した空気と熱交換された空気は、その一部が再生ヒータ１１によって加熱された後、減湿ロータ４の再生区域４ｂへと供給され、残りの一部はそのまま減湿ロータ４のプレ再生区域４ｃへと供給され、減湿ロータ４のプレ再生に供される。そして減湿ロータ４の再生区域４ｂ、プレ再生区域４ｃを通過した後は、排気ファン２によって排気口１３から排気ＥＡとして外部に排出される。
【００１９】
第１の実施の形態にかかるデシカント空調方法を実施するためのデシカント空調システムは、以上のようにその主要部が構成されており、次にこのデシカント空調方法を実施した際の空気の温度変化の状態を空気線図上に表したものを図２、図３に示す。
【００２０】
図２は外気ＯＡの温度が３２℃、湿度が６５％（絶対湿度：２０ｇ／ｋｇ’）のときの場合を、図３は外気ＯＡの温度が３２℃、湿度が４１％（絶対湿度：１２ｇ／ｋｇ’）のときの場合を各々示している。まず導入直後外気ＯＡ（ａ）は、全熱交換器２で還気ＲＡと熱交換されると湿度は低下し（ｂ）、次いで減湿ロータ４を通過するとさらに減湿される（ｃ）。そして第１の顕熱交換器５で熱交換されると温度が低下し（ｄ）、第２の顕熱交換器６において還気ＲＡと熱交換されることによってさらに温度が低下し（ｅ）、加湿器７で蒸発冷却されると、湿度は上昇するものの、給気ＳＡの温度はさらに低下する（ｆ）。
【００２１】
他方、還気ＲＡについては、第２の熱交換器６で給気ＳＡとなる空気と熱交換されるので、温度は上昇し（ｇ）、ついで全熱交換器２において外気ＯＡと熱交換されて温度は若干低下する（ｈ）。その後第１の顕熱交換器５で給気ＳＡとなる空気と熱交換されるので温度は上昇し、湿度は低下する（ｉ）。その後一部は再生ヒータ１１によって加熱されるから温度はさらに上昇し（ｊ）、減湿ロータ４の再生区域４ｂを通過すると再生に供した分温度が低下すると共に湿度が上昇する（ｋ）。また第１の顕熱交換器５を通過した後、そのまま減湿ロータ４のプレ再生区域４ｃに送られた残りの一部も、プレ再生に使用されたため温度が低下すると共に湿度が上昇する（ｌ）。そして排気ＥＡは、これら２つの空気が混合された状態となる（ｍ）。
【００２２】
このように本実施の形態にかかるデシカント空調方法は、従来のように還気ＲＡを蒸発冷却によって冷却して給気の温度を下げるのではなく、別途設けた第１の顕熱交換器５を用いて給気となる空気の温度を下げているので、還気ＲＡを全熱交換器２で熱回収するための低湿度の空気として利用することが可能になっている。これにより、給気ＳＡの温度は、従来システムと同等の温度まで低下できる。しかもそのように全熱交換器２を使用しているため、減湿ロータ４に入る空気の湿度はかなり低下できる。したがって外気の湿度が高い場合にも、十分な能力が発揮できる。
【００２３】
但しその反面、図２、図３に示したように、減湿ロータ４の再生区域４ａに入る空気の湿度は上昇している（ｈ）。しかしながらそのような再生側の湿度上昇による能力低下より、前記したような減湿ロータ４の処理区域４ａに入る空気の湿度低下による能力上昇の方がはるかに効果が大きいため、減湿能力としては十分な能力が得られている。
【００２４】
減湿ロータ４の処理区域４ａの出口側の絶対湿度は、処理区域４ａの入口条件と再生区域４ｂの入口の相対湿度で決定される。そして再生に用いることのできる空気の絶対湿度は決まっているので、処理区域４ａの入口条件に応じて、必要となる再生温度は必然的に決定される。従って、再生温度で再生に必要な熱量を調節することは不可能である。この場合、再生風量を低減して再生熱量を減らすことは可能であるが、そうすると第１の顕熱交換器５で得られた比較的高温な空気の一部を排気することになり、好ましくない。
【００２５】
この点前記実施の形態では、第１の熱交換器５を出た比較的高温の空気（図２、３のｉ）を分け、一部はそのまま減湿ロータ４の再生区域４ｂに導入して減湿ロータのプレ再生に用い（図２、３のｉからｊ）、残りの一部は再生ヒータ１１で昇温してから減湿ロータ４の再生区域４ｂに導入して再生用に用いているので、再生熱量を最適値まで低減することが可能である。
【００２６】
すなわち、図２、図３からわかるように、プレ再生用の空気と再生ヒータ１１によって昇温されたいわば本再生用の空気の比は、およそ１：１で最適な再生が行える。またシステム構成上も、風量比が１：１の場合には比較的簡易なシステムとなるため、この風量比が適切であると考えられる。したがって、従来よりも再生ヒータ１１に要するエネルギを節約することが可能である。
【００２７】
また再生能力が足りないときには、再生ヒータ１１を２分割にし、２分割したうちの前半の予熱部では、最適な熱量になるような温度まで予熱空気を加熱し、２分割したうちの後半部では所定の能力が得られるようにヒータの容量制御を行うことで最適な再生を行うことが可能である。この場合には、前記したようなプレ再生はなくなる。この方法によれば、再生ヒータ１１の容量は従来の半分ですみ、したがって、効率は従来のほぼ２倍となる。なお太陽熱エキルギー利用を考え、再生温度は、８３℃以下を想定している。
【００２８】
第１の実施の形態にかかるデシカント空調方法によれば、表１に示したような結果が得られた。
【００２９】
【表１】
0004011724.tif 000002
【００３０】
なお外気ＯＡの温度が３２℃で、湿度が４１％のときは、絶対湿度が室Ｒの空気と同じである、全熱交換器２は単にバイパスしていると仮定して計算している。ちなみに、図１０に示した従来のシステムの効率を図１１、図１２から求めると、
外気温度が３２℃で、湿度が６５％のときは、１．０１、外気の温度が３２℃で、湿度が４１％のときは０．８２であるから、従来システムの２．３倍以上の効率で運転が可能なことが分かった。
【００３１】
次に本発明の第２の実施の形態について説明する。図４は、第２の実施の形態にかかるデシカント空調方法を実施するためのデシカント空調システムの系統の概略を示しており、減湿ロータ２１の減湿区域２１ａを通過して減湿された後の処理空気は、第１の顕熱交換器２２へと送られ、外気取り入れ口２３から取り入れられた外気ＯＡと熱交換される。また熱交換された後の処理空気は、さらに第２の顕熱交換器２４において室Ｒからの還気ＲＡと熱交換されるようになっている。
【００３２】
そして第２の顕熱交換器２４によって降温された空気は、加湿器２５によって蒸発冷却された後、給気ＳＡとして室Ｒに供給される。室Ｒからの還気ＲＡは、前記第２の顕熱交換器２４によって熱交換された後、給気ファン２６によって２１ｃへと送られ、処理空気としてそのまま循環されるようになっている。
【００３３】
他方、第１の熱交換器２２において、減湿後の空気と熱交換されて昇温した外気ＯＡは、その一部が再生ヒータ３１によって加熱された後、減湿ロータ２１の再生区域２１ｂへと供給され、残りの一部はそのまま減湿ロータ２１のプレ再生区域２１ｃへと供給され、減湿ロータ２１のプレ再生に供される。そしてこれら再生区域２１ｂ、プレ再生区域２１ｃを後は、排気ファン３２によって排気口３３から排気ＥＡとして外部に排出される。
【００３４】
第２の実施の形態にかかるデシカント空調方法を実施するためのデシカント空調システムは、以上のようにその主要部が構成されており、次にこのデシカント空調方法を実施した場合の空気の温度変化の状態を空気線図上に表したものを図５、図６に示す。
【００３５】
図５は外気ＯＡの温度が３２℃、湿度が６５％（絶対湿度：２０ｇ／ｋｇ’）のときの場合を、図６は、外気ＯＡの温度が３２℃、湿度が４１％（絶対湿度：１２ｇ／ｋｇ’）のときの場合を各々示している。室Ｒからの還気ＲＡ（Ａ）は、減湿ロータ２１を通過すると減湿され（Ｂ）、その後第１の顕熱交換器２２で外気ＯＡと熱交換されると温度が低下し（Ｃ）、さらにその後第２の顕熱交換器２４において還気ＲＡと熱交換されることによってさらに温度が低下する（Ｄ）。次いで加湿器２５で蒸発冷却されることにより、湿度は上昇するものの、給気ＳＡの温度はさらに低下する（Ｅ）。
【００３６】
他方、外気ＯＡ（Ｆ）については、第１の熱交換器２２で減湿後の空気と熱交換されるので、温度は上昇する（Ｇ）。次いでその一部は再生ヒータ３１によって加熱されるから温度はさらに上昇し（Ｈ）、減湿ロータ２１の再生区域２１ｂを通過すると再生に供した分温度が低下すると共に湿度は上昇する（Ｉ）。また第１の顕熱交換器２２を通過した後、そのまま減湿ロータ２１のプレ再生区域２１ｃに送られた残りの一部も、プレ再生に使用されたため温度が低下すると共に湿度が上昇する（Ｊ）。そして排気ＥＡは、これら２つの空気が混合された状態となる（Ｋ）。
【００３７】
この第２の実施の形態では、還気ＲＡを処理空気として用いるため、減湿ロータ２１の再生用には外気ＯＡを用いているが、その他の点は、基本的には第１の実施の形態と同様である。したがって前記第１の実施の形態と同様、還気ＲＡを蒸発冷却で降温して冷却して給気の温度を下げるのではなく、別途設置した第１の顕熱交換器２２を用いて給気温度を下げている。しかも還気ＲＡを循環させて処理空気として用いているので効率がよく、外気ＯＡの温度条件に大きく左右されない。したがって、外気ＯＡの湿度が高い場合にも好適にデシカント方式の空調が実施できる。
【００３８】
第２の実施の形態にかかるデシカント空調方法によれば、表２に示したような結果が得られた。この結果からわかるように、従来と同等の効率で、これまで不可能であった還気空気の冷却が可能である。
【００３９】
【表２】
0004011724.tif 000003
【００４０】
但し、実際には、外気負荷が必ずあるため、全還気方式の実際の効率はこれを加味した値となる。例えば２０％の外気を取り入れる場合には、表３に示したような効率となる。
【００４１】
【表３】
0004011724.tif 000004
【００４２】
この表３の結果からわかるように、この程度の効率であれば、従来からある吸収冷凍機の効率（１．１程度）を上回っている。
【００４３】
なお外気を取り入れる場合には、図７に示した第３の実施の形態のように、外気ＯＡの取り入れ口から取り入れた外気ＯＡと、第２の顕熱交換器２４を通過した還気ＲＡとを、全熱交換器４１によって熱交換すればよい。また還気ＲＡの一部は排気ファン４２によって排気する。これによって還気と外気の量を制御することが可能である。外気の取り入れ量は、還気量の１０〜３０％程度でよい。全熱交換器４１は、外気量に見合った大きさでよい。なお図７中、図４に示した符号と同一の符号で示される構成要素は、第２の実施の形態で用いた構成要素と同一である。また必要に応じて、ダンパＤ1〜Ｄ3を介装したり、あるいは、別途外気取り入れファン４４を設けるようにする。
【００４４】
外気ＯＡの処理方法としては、第１の実施の形態で実施する方が効率がよい運転を行えるが、第３の実施の形態では、外気取り入れ量が少ないため、総合的な効率は外気を第１の実施の形態で処理した場合とほとんど変わらず、システムが簡易になる分、第３の実施の形態の方が利点が大きくなる。通常の空調条件である還気８０％外気２０％の条件での運転時においても必要な冷却能力が得られ、吸収冷凍機を用いた場合よりも高い運転効率を得られる。
【００４５】
以上のように本発明においても、外気条件により効率が変化し、外気の絶対湿度が低下すると効率は上昇する。また外気温度の低下によっても、効率は上昇する。しかしながら、これまでの冷凍機と大きく違うのは、低負荷時に効率が上昇することで、その上昇率もかなり大きいものとなる。したがって、部分負荷運転が多い日本の気象条件では、かなり高効率の運転が期待できる。
【００４６】
以上の各実施の形態にかかるデシカント空調方法を実施するために用いる空調機としては、例えば図８、図９に示したデシカント空調機５１を提案できる。図８は平面から見た説明図、図９は図８のＡ−Ａ線断面図である。
【００４７】
このデシカント空調機５１は、直方体のケーシング５２内に、必要な機器を収納した構成を有しており、ケーシング５２内は、隔壁板５３によって左右に分割され、右側（図８の上側）が還気側、左側（図８の下側）が給気側である。このデシカント空調機５１は図１に示した第１の実施の形態にかかるデシカント空調方法を実施するための構成となっている。すなわち、ケーシング５２の一端部左側には外気取り入れ口５４が形成され、続いて給気ファン３が設置され、給気ファン３の下流側には減湿ロータ４が設置されている。減湿ロータ４は還気側に跨っている。
【００４８】
給気側からみて減湿ロータ４の下流側には第１の顕熱交換器５が設置され、さらにその下流側には、第２の顕熱交換器６が設置されている。そして第２の顕熱交換器６の下流側には、加湿器７が設置されている。このデシカント空調機５１では、気化式加湿器を用いている。なお第２の顕熱交換器６と加湿器７の間には、ヒータ５５が設置されている。このヒータ５５は、冬期の暖房にも対処する場合に有効である。そしてケーシング５２の一端部左側には給気口５６が設けられている。
【００４９】
ケーシング５２の他端部右側には、還気口６１が形成され、還気側からみて下流側には、フィルタ６２が設置されている。そして第１の顕熱交換器５の下流側には再生ヒータ１１が設置されている。この再生ヒータ１１は還気ＲＡの一部のみを加熱するため、図９に示したように、隔壁５３で仕切られて右側に形成された還気流路を隔壁板６３で上下に２分割し、上側の流路に設置されている。かかる構成により、還気の１／２を再生ヒータ１１に導入することが容易に実現できる。そして還気流路における減湿ロータの下流側に排気ファン１２が設置され、ケーシング５２の一端部右側には、排気口６４が形成されている。
【００５０】
還気流路における第１の顕熱交換器５と第２の顕熱交換器６との間には、還気流路を閉鎖する隔壁７１が設置され、この隔壁７１の第２の顕熱交換器６側には、還気をケーシング外に導出するための導出口７２が形成され、隔壁７１の第１の顕熱交換器５側には、外部からの空気をケーシング５２内の還気流路内に導入する導入口７３が形成され、導入口７３の下流側には、フィルタ７４が取り付けられている。
【００５１】
したがって、第１の実施の形態で使用した全熱交換器２は、ケーシング５２外の任意の場所において、導出口７２からの還気と外気とを熱交換するように設置すればよく、熱交換後の還気を導入口７３に送り、熱交換後の外気を外気取り入れ口５４に送るようにすれば、第１の実施の形態にかかるデシカント空調方法を容易に実施できる。しかも図８からわかるように、系統の割には構成としてもきわめて簡易である。しかもこのデシカント空調機５１は、第１の実施の形態に限らず、そのまま第２の実施の形態の場合にも使用できる。
【００５２】
【発明の効果】
請求項１〜４の発明によれば、外気の湿度が高い場合にも、十分な冷房能力が得られ、しかもエネルギ効率がよいデシカント空調を実施することができる。特に請求項３、４の場合には、再生ヒータに要するエネルギを必要最小限にまで低減させることが可能である。
【図面の簡単な説明】
【図１】本発明の第１の実施の形態にかかるデシカント空調方法を実施するために用いたデシカント空調システムの構成の概略を示す説明図である。
【図２】  外気条件が３２℃・６５％のときに第１の実施の形態を実施した場合の空気の状態を示す空気線図である。
【図３】外気条件が３２℃・４１％のときに第１の実施の形態を実施した場合の空気の状態を示す空気線図である。
【図４】本発明の第２の実施の形態にかかるデシカント空調方法を実施するために用いたデシカント空調システムの構成の概略を示す説明図である。
【図５】  外気条件が３２℃・６５％のときに第１の実施の形態を実施した場合の空気の状態を示す空気線図である。
【図６】外気条件が３２℃・４１％のときに第１の実施の形態を実施した場合の空気の状態を示す空気線図である。
【図７】本発明の第３の実施の形態にかかるデシカント空調方法を実施するために用いたデシカント空調システムの構成の概略を示す説明図である。
【図８】第１の実施の形態を実施するのに適したデシカント空調機の平面からみた説明図である。
【図９】図８のＡ−Ａ線断面図である。
【図１０】従来技術にかかるデシカント空調システムの構成の概略を示す説明図である。
【図１１】外気条件が３２℃・６５％のときに図１０の従来技術を稼働させた場合の空気の状態を示す空気線図である。
【図１２】外気条件が３２℃・４１％のときに図１０の従来技術を稼働させた場合の空気の状態を示す空気線図である。
【符号の説明】
２    全熱交換器
３    給気ファン
４    減湿ロータ
４ａ  減湿区域
４ｂ  再生区域
４ｃ  プレ再生区域
５    第１の顕熱交換器
６    第２の顕熱交換器
７    加湿器
１１    再生ヒータ
１２    排気ファン
Ｒ    室
ＯＡ    外気
ＳＡ    給気
ＲＡ    還気
ＥＡ    排気
【図１】
0004011724.tif 000005
【図２】
0004011724.tif 000006
【図３】
0004011724.tif 000007
【図４】
0004011724.tif 000008
【図５】
0004011724.tif 000009
【図６】
0004011724.tif 000010
【図７】
0004011724.tif 000011
【図８】
0004011724.tif 000012
【図９】
0004011724.tif 000013
【図１０】
0004011724.tif 000014
【図１１】
0004011724.tif 000015
【図１２】
0004011724.tif 000016